(57)【要約】【課題】回転工具１０用のアタッチメント１２において、万が一、シャンク１４が折損したり工具本体１３とシャンク１４との連結部分が破損したり、或いは回転工具１０の回転ヘッド１１が破損したりした場合でも、回転工具１０から工具本体１３やアタッチメント１２が全体として落下するのを防止できるようにする。【解決手段】回転工具１０の回転ヘッド１１に巻回状に装着可能な入力側装着部２と、回転工具１０の回転ヘッド１１に装着されるアタッチメント１２に対して巻回状に装着可能な出力側装着部３と、これら入力側装着部２と出力側装着部３とを回転ヘッド１１及びアタッチメント１２の回転軸心に沿って相互連結する連結部４とを有している。【選択図】図１
2011067899.tif 000002
【特許請求の範囲】
【請求項１】
回転工具（１０）の回転ヘッド（１１）に巻回状に装着可能な入力側装着部（２）と、
回転工具（１０）の回転ヘッド（１１）に装着されるアタッチメント（１２）に対して巻回状に装着可能な出力側装着部（３）と、
これら入力側装着部（２）と出力側装着部（３）とを前記回転ヘッド（１１）及びアタッチメント（１２）の回転軸心に沿って相互連結する連結部（４）とを有していることを特徴とする工具連結具。
【請求項２】
少なくとも一方の装着部（２）（３）には、巻回時の内側となる面に滑止め（２５）（３５）が備えられていることを特徴とする請求項１記載の工具連結具。
【請求項３】
少なくとも一方の装着部（２）（３）は、可撓性を有して帯状に形成された巻回帯（２０）（３０）を主体として成り、この巻回帯（２０）（３０）の一方面にはその長手方向に沿って面ファスナの雄部材（２３）（３３）と雌部材（２４）（３４）とが並設されており、この巻回帯（２０）（３０）の一端部には、同他端側となる自由端部（２２）（３２）を挿通させて面ファスナの雄部材（２３）（３３）と雌部材（２４）（３４）とを対向係着させるように折返した状態に支持させる輪具（２１）（３１）が設けられていることを特徴とする請求項１又は請求項２記載の工具連結具。
【発明の詳細な説明】
【技術分野】
【０００１】
本発明は、回転工具にアタッチメントを装着した場合にこれら両者の連結状態を確実に保持できるようにした工具連結具に関するものである。
【背景技術】
【０００２】
電動又はエア駆動によるドライバーやインパクトドライバー、或いはドリルなどのハンディタイプの作業機械（以下、「回転工具」と言う）に対し、ボックスレンチ、ビットホルダー、ドリルチャック、六角レンチ等のアタッチメントを装着して使用することは周知である。
この種のアタッチメントでは、工具本体の後端部からシャンク（断面形状が六角形などの多角形又は円形をした軸）が突出しており、このシャンクを、回転工具の回転ヘッド（アンビル部やチャック部など）に銜えさせることで、回転工具に対する装着を行うようになっている。
【０００３】
従来、このアタッチメントに関しては、回転工具（殊にインパクトドライバー等の場合）による作業中に、工具本体とシャンクとの連結部分が破損したり脱出してしまったりするのを防止して、確実な抜け止めが行える（連結力が得られる）ようにした構造が提案されている（特許文献１参照）。
従来の提案構造により、アタッチメントとして、工具本体とシャンクとの連結部分での確実な抜け止め作用が得られるようになり、その結果、回転工具による作業中に、この連結部分の破損や脱出等を原因として工具本体が落下するといった問題は解消されるに至った。
【０００４】
ところが、シャンクが折損したり、回転工具の回転ヘッドが破損したりした場合には、工具本体又はアタッチメントが全体として回転工具から離脱することが想定される。このような想定下では、回転工具による作業中に、工具本体又はアタッチメントが全体として落下するおそれがある。
なお、アタッチメントがドライバービットなどの軸状のものである場合に、この先端へ、軸受け孔を尾部に有したボックスレンチなどの別種のアタッチメントを着脱できるようにした構造は公知である。この公知の構造に使用するものとして、両アタッチメント間の連結状態を確実化させることを目的とした抜止具が提案されている（特許文献２参照）。
【０００５】
この抜止具はゴムにより円筒形に形成されたもので、軸状のアタッチメント（ドライバービット等）に対し、軸受け孔を尾部に有したアタッチメント（ボックスレンチ等）を連結させた部分へ、それら両者に跨るように密着状に外嵌装着するものである。
すなわち、抜止具の一端側には、軸状のアタッチメント（ドライバービット等）を外嵌させる径小孔が設けられ、他端側には、軸受け孔を尾部に有したアタッチメント（ボックスレンチ等）の尾部まわりを外嵌させる径大孔が設けられて、これら径小孔と径大孔とが内部連通した構造となっている。
【先行技術文献】
【特許文献】
【０００６】
【特許文献１】特許第２５０１７４４号公報
【特許文献２】特開２０００−２４９４３号公報
【発明の概要】
【発明が解決しようとする課題】
【０００７】
従来の提案に係る抜止具は、言うまでもなく、軸状のアタッチメント（ドライバービット等）に対し、軸受け孔を尾部に有したアタッチメント（ボックスレンチ等）を連結する場合にのみ、有効なものである。
すなわち、回転工具に種々様々なアタッチメントを装着する場合に対する抜止効果（脱落防止効果）は、何ら期待できない。
【０００８】
従って、回転工具による作業中に、アタッチメントにおいてシャンクが折損したり工具本体とシャンクとの連結部分が破損したり、或いは、回転工具の回転ヘッドが破損したりした場合には、工具本体又はアタッチメントが全体として回転工具から離脱することが想定される。
それ故、このような想定下にあって、回転工具による作業中に、工具本体又はアタッチメントが全体として落下するおそれがあるという問題は、依然として解決されないままにある。
【０００９】
本発明は、上記事情に鑑みてなされたものであって、万が一、アタッチメントにおいてシャンクが折損したり工具本体とシャンクとの連結部分が破損したり、或いは回転工具の回転ヘッドが破損したりした場合でも、回転工具から工具本体やアタッチメントが全体として落下するのを防止できるようにした工具連結具を提供することを目的とする。
【課題を解決するための手段】
【００１０】
前記目的を達成するために、本発明は次の手段を講じた。
即ち、本発明に係る工具連結具は、回転工具の回転ヘッドに巻回状に装着可能な入力側装着部と、回転工具の回転ヘッドに装着されるアタッチメントに対して巻回状に装着可能な出力側装着部と、これら入力側装着部と出力側装着部とを前記回転ヘッド及びアタッチメントの回転軸心に沿って相互連結する連結部とを有している。
【００１１】
このような構成であると、回転工具の回転ヘッドに対してそのまわりへ入力側装着部を巻回状に装着し、アタッチメントに対してそのまわりへ出力側装着部を巻回状に装着しておけば、これら入力側装着部と出力側装着部とが連結部を介して連結されることになる。
そのため、万が一、アタッチメントにおいてシャンクが折損したり工具本体とシャンクとの連結部分が破損したり、或いは回転工具の回転ヘッド（アンビル部やチャック部）が破損したりしても、回転工具から工具本体やアタッチメントが全体として落下するのを防止できる。
【００１２】
なお、少なくとも一方の装着部（好ましくは両方の装着部）には、巻回時の内側となる面に滑止めが備えられたものとするのが好適である。
このようにすることで、回転に対する滑りや軸方向のすべりを生じさせずに、しっかりと装着できる利点がある。
また、少なくとも一方の装着部（好ましくは両方の装着部）は、可撓性を有して帯状に形成された巻回帯を主体として成り、この巻回帯の一方面にはその長手方向に沿って面ファスナの雄部材と雌部材とが並設されており、この巻回帯の一端部には、同他端側となる自由端部を挿通させて面ファスナの雄部材と雌部材とを対向係着させるように折返した状態に支持させる輪具が設けられているものとすればよい。
【００１３】
このようにすると、装着やその取り外しのための操作が容易であると共に、装着時における長さ調節（装着部分に対する巻回の内径調節）がフリーサイズのものとして調節できる利点がある。
このような輪具と面ファスナの雌雄部材とを設ける構造を、入力側装着部及び出力側装着部の双方に対して採用した場合には、これら入力側装着部と出力側装着部とを共通（同一）の構造として形成させることができる。そのため、製作コストの低廉化が可能であると共に、使用時の使い分けが無くなり、容易となる利点がある。
【発明の効果】
【００１４】
本発明に係る工具連結具は、万が一、アタッチメントにおいてシャンクが折損したり工具本体とシャンクとの連結部分が破損したり、或いは回転工具の回転ヘッドが破損したりした場合でも、回転工具から工具本体やアタッチメントが全体として落下するのを防止できるようになる。
【図面の簡単な説明】
【００１５】
【図１】本発明に係る工具連結具の第１実施形態についてその装着状況を示した斜視図である。
【図２】本発明に係る工具連結具の第１実施形態についてその使用状況を示した側面図である。
【図３】本発明に係る工具連結具の第１実施形態を示した側面図である。
【図４】図３のＡ−Ａ線矢視図である。
【図５】図３のＢ−Ｂ線矢視図である。
【図６】本発明に係る工具連結具の第２実施形態を示した斜視図である。
【発明を実施するための形態】
【００１６】
以下、本発明の実施の形態を、図面に基づき説明する。
図１乃至図５は、本発明に係る工具連結具１の第１実施形態を示している。図４及び図５に示すように、この工具連結具１は、入力側装着部２と、出力側装着部３と、これら両装着部２，３を連結する連結部４とを有している。
図１及び図２に示すように、入力側装着部２は、電動ドライバーや電動インパクトドライバー、電動ドリル（又はこれらのエア駆動式のもの）などの回転工具１０に対し、その回転ヘッド１１（アンビル部やチャック部等）に巻回状に装着するためのものである。これに対して出力側装着部３は、回転工具１０の回転ヘッド１１に装着されるアタッチメント１２に対して巻回状に装着するためのものである。
【００１７】
なお、図１及び図２で例示したアタッチメント１２はボックスレンチとしてある。従って、このアタッチメント１２は、円筒形状に形成された胴体の先端部にナット嵌合用の六角凹部１３ａが形成された工具本体１３を有し、この工具本体１３の後部からは同軸配置でシャンク１４が突設されている。
このシャンク１４は、断面形状が円形又は六角形などの多角形をした軸であって、回転工具１０の回転ヘッド１１への装着を可能にし、且つ作業時の回転軸（支軸）となる部分である。
【００１８】
工具連結具１において、入力側装着部２、出力側装着部３及び連結部４は、互いに一体形成されたものとするのが好適であり、またその形成素材には、天然皮革や合成皮革などを採用するのが好適とされている。
なお、この形成素材としては、その他、伸縮性が抑制されたものであり、引張強度に優れ、破れにくいなどの特性を満たすのであれば、ゴム、軟質樹脂、布帛、場合によっては金属（鎖状、網状に編んだ構造や時計ベルトのようにチップ片を連結した構造等）などを採用することもできる。
【００１９】
入力側装着部２は、可撓性を有する帯状に形成された巻回帯２０を主体として形成されている。この巻回帯２０の一端部には、針金線材を長方形の枠型に折り曲げるなどして形成された輪具２１が設けられている。巻回帯２０においてこの輪具２１が設けられたのとは逆側の他端側は、自由端部２２とされている。
輪具２１は、その枠内へ巻回帯２０の自由端部２２を挿通させることができる大きさに形成されている。またこの自由端部２２を輪具２１へ挿通させた状態で巻回帯２０を折り返すようにしたとき、この折り返しの内側を輪具２１で支持させることができる。またこの輪具２１を形成する針金線材は、巻回帯２０の帯幅方向に貫通する部分２１ａを介して、当該巻回帯２０に揺動自在に保持されるようになっている。
【００２０】
巻回帯２０の自由端部２２は半円形などに面取りされており、輪具２１への挿通が容易且つ迅速に行えるものとされている。なお、先細りとなる方向で三角形状に形成させたり、角形面取りさせたものとしてもよいし、或いはこれらの対策を一切施さないものとしても別段構わない。
図３及び図４に示すように、巻回帯２０の一方面には、その長手方向に沿って面ファスナの雄部材２３と雌部材２４とが並設されている。従って、巻回帯２０をその自由端部２２側から輪具２１に挿通させた状態で折り返させると、面ファスナの雄部材２３と雌部材２４とを対向させ、係着させることができる。
【００２１】
なお、図例では、自由端部２２側を雄部材２３とし、輪具２１に近い方を雌部材２４としているが、これら雄部材２３と雌部材２４との相対的な配置は特に限定されるものではない。
図３及び図５に示すように、巻回帯２０の他方面には、巻回時の内側となる面に滑止め２５が設けられている。この滑止め２５は、回転工具１０の回転ヘッド１１に対して、その周方向（回転方向）及び軸方向で滑りが生じないようにするためのものである。
【００２２】
巻回帯２０がゴムやシリコンなどで形成されている場合には、ドット状や線状の突起を適宜分散配置で設けるようにすることで、滑止め２５を形成させることができる。また、巻回帯２０がそれ以外の素材により形成されている場合であると、ゴムやシリコンなどによるドット状又は線状の突起が適宜分散配置されて成るシートを、接着又は縫着などで巻回帯２０に貼り付けることにより、滑止め２５を形成させることができる。
【００２３】
なお、面ファスナにおいて雄部材２３と雌部材２４とを所定間隔だけ離して配置し、それらの間に折返しスペース２７（図４参照）を設けるようにするとよい。ただ、この折返しスペース２７を形成させているからといって、当該折返しスペース２７内で輪具２１による折返しをすることが限定されるものではない。当然に、このような折返しスペース２７は、必ずしも形成させなければならないものではない。
【００２４】
出力側装着部３についても、装着の対象がアタッチメント１２であることを除けば、その構造や材質などは前記した入力側装着部２と略同様である。
すなわち、この出力側装着部３は、巻回帯３０を主体とし、この巻回帯３０の一端部には輪具３１が設けられ、他端側は自由端部３２とされている。輪具３１は、巻回帯３０の帯幅方向に貫通する部分３１ａを介して揺動自在となっている。
【００２５】
また、図３及び図４に示すように、巻回帯３０の一方面には折返しスペース３７を介して面ファスナの雄部材３３と雌部材３４とが並設され、図３及び図５に示すように、巻回帯３０の他方面には滑止め３５が設けられている。
連結部４は、回転工具１０における回転ヘッド１１の回転軸心、及びアタッチメント１２の回転軸心に沿う方向で、入力側装着部２と出力側装着部３とを連結するものである。入力側装着部２や出力側装着部３に対して連結部４が設けられる位置や、連結部４の配置数、連結部４の太さ（幅寸法）などは、特に限定されるものではない。
【００２６】
このような構成の工具連結具１は、図１及び図２に示すように、回転工具１０の回転ヘッド１１に対してそのまわりへ入力側装着部２を巻回状に装着し、回転ヘッド１１にアタッチメント１２を装着後に、このアタッチメント１２に対してそのまわりへ出力側装着部３を巻回状に装着する。
回転ヘッド１１へ入力側装着部２を装着するには、回転ヘッド１１のまわりに巻回帯２０を巻き付けながら、その自由端部２２を輪具２１へ挿通させ、この輪具２１で巻回帯２０を折返し、面ファスナの雄部材２３と雌部材２４とを対向係着させるだけである。なお、このとき、雄部材２３と雌部材２４との係着位置を適宜調節して、回転ヘッド１１に巻回帯２０がしっかりと巻き締まる状態が得られるようにする。
【００２７】
同様に、アタッチメント１２へ出力側装着部３を装着するには、工具本体１３のまわりに巻回帯３０を巻き付けながら、その自由端部３２を輪具３１へ挿通させ、この輪具３１で巻回帯３０を折返し、面ファスナの雄部材３３と雌部材３４とを対向係着させるだけである。なお、このとき、雄部材３３と雌部材３４との係着位置を適宜調節して、工具本体１３に巻回帯３０がしっかりと巻き締まる状態が得られるようにする。
【００２８】
このように、この工具連結具１の装着のための操作は極めて容易であると共に、装着時における長さ調節（装着部分に対する巻回の内径調節）がフリーサイズで調節できるようになっている。また、工具連結具１の取り外しも、上記と略逆の操作を行うだけであり、極めて容易である。
回転工具１０及びアタッチメント１２に対し、工具連結具１を上記のような装着状態にした後、回転工具１０を作動させたとき、回転ヘッド１１及びアタッチメント１２と一体となって工具連結具１も回転するようになる。このとき、この工具連結具１は、回転ヘッド１１やアタッチメント１２に対して薄くコンパクトに巻き付いた状態にあるため、回転工具１０やアタッチメント１２、及び作業者に対して何ら不具合を及ぼすものではない。
【００２９】
そしてこの作業中、万が一、アタッチメント１２のシャンク１４が折損したり、アタッチメント１２の工具本体１３とシャンク１４との連結部分が破損したり、或いは回転工具１０の回転ヘッド１１が破損したりしたとても、工具連結具１は、入力側装着部２と出力側装着部３とが連結部４を介して連結されていることから、回転工具１０から工具本体１３やアタッチメント１２が全体として落下することはない。
【００３０】
以上の説明から明かなように、この工具連結具１は、構造的に極めて簡潔なものであり、材料コストや製作コストの面でも低コスト化が可能であるため、極めて実施が容易であるにも拘わらず、これによって得られる作業上の効果（工具本体１３やアタッチメント１２の全体としての落下防止）は絶大なものである。
図６は、本発明に係る工具連結具１の第２実施形態を示している。この第２実施形態の工具連結具１では、ゴム輪など、輪部を拡径させようとする外力に対して強力な弾性収縮作用を生じるリング状の索条部材５０に対し、２個のロック具５１，５２を挿通状態に装着したものである
すなわち、一方のロック具５１とこれによって索条部材５０に形成させた小さな輪部５３とで入力側装着部２を形成させ、他方のロック具５２とこれによって索条部材５０に形成させた小さな輪部５４とで出力側装着部３を形成させ、ロック具５１と５２との間の索条部材５０で連結部４を形成させたものとなっている。
【００３１】
各ロック具５１，５２は、紐通し孔５５を有した本体部５６に対し、操作ボタン５７が押動可能に設けられ、この操作ボタン５７を押下したときだけ、紐通し孔５５内を開通させ、押下していないときには閉鎖状態又は紐通し孔５５内の索条部材５０をロックする状態を保持させるようになっている。
そのため、これらロック具５１，５２において、操作ボタン５７を押下しつつ、索条部材５０に沿ってロック具５１，５２の挿通位置を移動させることで、輪部５３，５４を縮径させたり拡径させたりできる。
【００３２】
このような輪部５３，５４の縮径操作や拡径操作により、回転工具１０の回転ヘッド１１に対してそのまわりへ入力側装着部２を巻回状に装着したり、或いは取り外したり、アタッチメント１２に対してそのまわりへ出力側装着部３を巻回状に装着したり、或いは取り外したりする。
その他の構成及び作用効果は第１実施形態と略同様であり、ここでの詳説は省略する。
〔その他〕
本発明は、上記実施形態に限定されるものではなく、実施の形態に応じて適宜変更可能である。
【００３３】
アタッチメント１２は、ドライバービットやドリルビットなどを保持可能なビットホルダー、ドリルを保持可能なドリルチャック、或いは六角レンチ等とすることも可能である。
入力側装着部２において、回転工具１０の回転ヘッド１１に巻き付けるための構造として説明した面ファスナ（雄部材２３及び雌部材２４）や、出力側装着部３において、アタッチメント１２の工具本体１３に巻き付けるための構造として説明した面ファスナ（雄部材３３及び雌部材３４）は、限定されるものではない。
【００３４】
例えば、自由端部２２の任意位置を挟み込んで強圧する方式のバックルを輪具２１の代わりに設ける構造としてもよい。或いは、自由端部２２に対して長手方向で複数の穴を設けておくと共に、このうち選択した穴に対してストッパピンを差し込む方式のバックルを輪具２１の代わりに設ける構造としてもよい。
入力側装着部２と出力側装着部３と連結部４とは、互いに別体に形成し、それらの間をリングや鎖などにより連結するようにしてもよい。場合によっては、連結部４をリンクや鎖などにより形成して、それ事態で入力側装着部２や出力側装着部３と連結させるようにしてもよい。また、滑止め２５は、巻回帯２０の内側となる面に設けた場合を例示しているが、巻回帯２０の素材ベースに貼り合わせて一体化されたものであってもよい。
【符号の説明】
【００３５】
１  工具連結具
２  入力側装着部
３  出力側装着部
４  連結部
１０  回転工具
１１  回転ヘッド
１２  アタッチメント
２０  巻回帯
２１  輪具
２２  自由端部
２３  雄部材
２４  雌部材
２５  滑止め
３０  巻回帯
３１  輪具
３２  自由端部
３３  雄部材
３４  雌部材
３５  滑止め
【図１】
2011067899.tif 000003
【図２】
2011067899.tif 000004
【図３】
2011067899.tif 000005
【図４】
2011067899.tif 000006
【図５】
2011067899.tif 000007
【図６】
2011067899.tif 000008